(57)【要約】【課題】周波数バーを用いた受信周波数を合わせるための操作を簡略化して操作性を向上させるとともに、受信周波数を覚えていない放送局であっても容易に周波数を合わせることができるラジオ受信機を提供すること。【解決手段】受信周波数の設定に必要な操作画面には、受信周波数帯域に対応する長さを有して周波数目盛が付された周波数バー１００と、この周波数バー１００内の特定の周波数を指し示す第１の指標１０２と、周波数バー１００内で利用者によって指し示された位置を含む一部の周波数範囲を拡大した拡大周波数バー１１０と、拡大周波数バー１１０内において第１の指標１０２と同じ周波数を指し示す第２の指標１１２とが含まれる。拡大周波数バー１１０は、第１の指標１０２によって指し示された周波数が、受信周波数検出部５２によって検出された複数の受信周波数のいずれかを中心とした所定の範囲内に含まれるときに表示される。【選択図】図２
2016213562.tif 000002
【特許請求の範囲】
【請求項１】
複数の放送局のそれぞれに対応する複数の受信周波数のいずれかが設定されたときに、この受信周波数に対応する前記放送局の番組を受信する受信手段と、
前記複数の受信周波数を検出する受信周波数検出手段と、
前記受信手段によって番組受信を行う前記放送局の受信周波数を設定する受信周波数設定手段と、
前記受信周波数設定手段による受信周波数の設定に必要な操作画面を作成する操作画面作成手段と、
前記操作画面を表示する表示手段と、
前記操作画面上の指示位置を検出するタッチパネルと、
を備え、前記操作画面には、受信周波数帯域に対応する長さを有して周波数目盛が付された周波数バーと、この周波数バー内の特定の周波数を指し示す第１の指標と、前記周波数バーの任意の位置が利用者によって指し示されたことを前記タッチパネルで検出したときにこの指し示された位置を含む一部の周波数範囲を拡大した拡大周波数バーと、前記拡大周波数バー内において前記第１の指標と同じ周波数を指し示す第２の指標とが含まれ、
前記拡大周波数バーは、前記第１の指標によって指し示された周波数が、前記受信周波数検出手段によって検出された前記複数の受信周波数のいずれかを中心とした所定の範囲内に含まれるときに表示され、
前記受信周波数設定手段は、前記操作画面内において前記第１および第２の指標によって指し示された周波数を前記受信周波数として設定することを特徴とするラジオ受信機。
【請求項２】
請求項１において、
利用者が前記第１の指標を指し示した後にこの指し示した位置を前記周波数バーに沿って移動させたときに、前記拡大周波数バーが表示されていない場合は、この指し示した位置に対応して前記第１の指標の位置が移動し、前記拡大周波数バーが表示されている場合には、利用者が指し示した位置の移動量よりも前記第１の指標の位置の移動量を小さくすることを特徴とするラジオ受信機。
【請求項３】
請求項２において、
前記拡大周波数バーが表示されている場合には、利用者が指し示した位置の移動量と、前記拡大周波数バーに沿って前記第２の指標を移動させる移動量とを同じにすることを特徴とするラジオ受信機。
【請求項４】
請求項１〜３のいずれか一項において、
前記拡大周波数バー内において、前記受信周波数検出手段によって検出された受信周波数に対応する位置に第３の指標が表示されることを特徴とするラジオ受信機。
【請求項５】
請求項１〜４のいずれか一項において、
利用者が指し示した位置を前記周波数バーに沿って移動させ、前記拡大周波数バー内の前記第２の指標で指し示された周波数が、前記受信周波数検出手段によって検出されたいずれかの受信周波数に一致したときに、所定の通知音を出力する通知音出力手段をさらに備えることを特徴とするラジオ受信機。
【請求項６】
請求項１〜５のいずれか一項において、
利用者が指し示した位置を前記周波数バーに沿って移動させ、前記拡大周波数バー内の前記第２の指標で指し示された周波数が、前記受信周波数検出手段によって検出されたいずれかの受信周波数に一致したときに、前記第１および第２の指標の移動を一時的に停止させることを特徴とするラジオ受信機。
【発明の詳細な説明】
【技術分野】
【０００１】
本発明は、周波数バーの目盛りを見ながら受信周波数を設定するラジオ受信機に関する。
【背景技術】
【０００２】
従来から、周波数バーとしてのスケール上の針をドラッグ操作すると、その近傍の周波数を９ｋＨｚ間隔で複数のアイコンを用いて示すようにした受信装置が知られている（例えば、特許文献１参照。）。この受信装置では、周波数が数字で示された複数のアイコンのいずれかを押すことにより、その周波数に受信周波数を設定することができる。
【先行技術文献】
【特許文献】
【０００３】
【特許文献１】特開２０１２−２４４３９１号公報
【発明の概要】
【発明が解決しようとする課題】
【０００４】
ところで、上述した特許文献１に開示された受信装置では、スケール上の針のドラッグ操作と、アイコンの選択動作を別々に行う必要があるため、周波数設定のための操作が煩雑になるという問題があった。また、９ｋＨｚ間隔の周波数が数字で示されたアイコンを用いており、利用者は、その中のいずれかのアイコンを選択することになるが、必ずしも利用者が放送局の受信周波数を数字で覚えているとは限らないため、適当に複数のアイコンを操作して番組を受信可能な放送局が存在するか否かを調べることになり、さらに操作が煩雑になる。
【０００５】
本発明は、このような点に鑑みて創作されたものであり、その目的は、周波数バーを用いた受信周波数を合わせるための操作を簡略化して操作性を向上させるとともに、受信周波数を覚えていない放送局であっても容易に周波数を合わせることができるラジオ受信機を提供することにある。
【課題を解決するための手段】
【０００６】
上述した課題を解決するために、本発明のラジオ受信機は、複数の放送局のそれぞれに対応する複数の受信周波数のいずれかが設定されたときに、この受信周波数に対応する放送局の番組を受信する受信手段と、複数の受信周波数を検出する受信周波数検出手段と、受信手段によって番組受信を行う放送局の受信周波数を設定する受信周波数設定手段と、受信周波数設定手段による受信周波数の設定に必要な操作画面を作成する操作画面作成手段と、操作画面を表示する表示手段と、操作画面上の指示位置を検出するタッチパネルとを備える。操作画面には、受信周波数帯域に対応する長さを有して周波数目盛が付された周波数バーと、この周波数バー内の特定の周波数を指し示す第１の指標と、周波数バーの任意の位置が利用者によって指し示されたことをタッチパネルで検出したときにこの指し示された位置を含む一部の周波数範囲を拡大した拡大周波数バーと、拡大周波数バー内において第１の指標と同じ周波数を指し示す第２の指標とが含まれる。また、拡大周波数バーは、第１の指標によって指し示された周波数が、受信周波数検出手段によって検出された複数の受信周波数のいずれかを中心とした所定の範囲内に含まれるときに表示される。さらに、受信周波数設定手段は、操作画面内において第１および第２の指標によって指し示された周波数を受信周波数として設定する。
【０００７】
周波数バーの一部であって利用者が指し示した位置が、いずれかの放送局の受信周波数の近傍にあるときに拡大周波数バーが表示されるため、利用者はこの拡大周波数バーを見ながら周波数を指示することができる。このため、周波数バー上の操作位置を移動させるだけで受信周波数を合わせることができ、操作の簡略化による操作性向上が可能となる。また、拡大周波数バーの指標を移動させて実際の番組の受信結果を確認しながら受信周波数を設定することができるため、受信周波数を覚えていない放送局であっても容易に周波数を合わせることが可能となる。
【０００８】
また、利用者が第１の指標を指し示した後にこの指し示した位置を周波数バーに沿って移動させたときに、拡大周波数バーが表示されていない場合は、この指し示した位置に対応して第１の指標の位置が移動し、拡大周波数バーが表示されている場合には、利用者が指し示した位置の移動量よりも第１の指標の位置の移動量を小さくすることが望ましい。特に、上述した拡大周波数バーが表示されている場合には、利用者が指し示した位置の移動量と、拡大周波数バーに沿って第２の指標を移動させる移動量とを同じにすることが望ましい。これにより、周波数バーに沿った利用者の操作速度が速い場合であっても周波数の微調整が可能になり、操作性をさらに向上させることができる。
【０００９】
また、上述した拡大周波数バー内において、受信周波数検出手段によって検出された受信周波数に対応する位置に第３の指標が表示されることが望ましい。あるいは、利用者が指し示した位置を周波数バーに沿って移動させ、拡大周波数バー内の第２の指標で指し示された周波数が、受信周波数検出手段によって検出されたいずれかの受信周波数に一致したときに、所定の通知音を出力する通知音出力手段をさらに備えることが望ましい。これにより、周波数設定の状況を視覚的あるいは聴覚的に確認することができる。
【００１０】
また、利用者が指し示した位置を周波数バーに沿って移動させ、拡大周波数バー内の第２の指標で指し示された周波数が、受信周波数検出手段によって検出されたいずれかの受信周波数に一致したときに、第１および第２の指標の移動を一時的に停止させることが望ましい。これにより、周波数バーに沿った利用者の操作速度を速くした場合であっても確実に受信周波数に合わせることが可能になり、操作性をさらに向上させることができる。
【図面の簡単な説明】
【００１１】
【図１】一実施形態の車載装置の構成を示す図である。
【図２】ＦＭ放送の放送局の受信周波数の設定を行う操作画面を示す図である。
【図３】ＡＭ／ＦＭ放送の放送局の受信周波数を設定する動作手順を示す流れ図である。
【図４】拡大周波数バーに受信可能な放送局の周波数を示す第３の指標を追加した例を示す図である。
【図５】設定中の周波数が受信可能な放送局の周波数と一致したときに通知音を出力する変形例の動作手順を示す流れ図である。
【図６】設定周波数が放送局の受信周波数に一致したときに第１および第２の指標の移動を一時的に停止させる変形例の動作手順を示す流れ図である。
【発明を実施するための形態】
【００１２】
以下、本発明を適用した一実施形態の車載装置について、図面を参照しながら説明する。図１は、一実施形態の車載装置の構成を示す図である。図１に示すように、本実施形態の車載装置１は、ナビゲーション処理部１０、ＴＶチューナ処理部１４、ラジオチューナ処理部１６、ＡＶ処理部１８、操作部２０、タッチパネル２２、入力制御部２４、表示処理部３０、表示装置３２、デジタル−アナログ変換器（Ｄ／Ａ）４０、スピーカ４２、制御部５０、ハードディスク装置（ＨＤＤ）７０を備えている。
【００１３】
ナビゲーション処理部１０は、ハードディスク装置７０に記憶されている地図データを用いて車載装置１が搭載された車両の走行を案内するナビゲーション動作を行う。自車位置を検出するＧＰＳ装置１２とともに用いられ、車両の走行を案内するナビゲーション動作には、地図表示、経路探索・誘導のほかに周辺施設やＰＯＩ（Point Of Interest）を検索して表示する動作などが含まれる。なお、自車位置検出は、ＧＰＳ１２の他にジャイロセンサや車速センサ等の自律航法センサを組み合わせて用いるようにしてもよい。
【００１４】
ＴＶチューナ処理部１４は、地上デジタル放送等の放送信号を受信し、映像および音声を再生する処理を行う。ラジオチューナ処理部１６は、ＡＭラジオ放送やＦＭラジオ放送の放送信号を受信し、音声を再生する処理を行う。具体的には、ラジオチューナ処理部１６は、複数のＡＭ放送局やＦＭ放送局のそれぞれに対応する複数の受信周波数のいずれかが設定されたときに、この受信周波数に対応するＡＭ／ＦＭ放送局の番組を受信する。ＡＶ処理部１８は、圧縮されてハードディスク装置７０に記憶されているオーディオデータ（音楽データ）や映像データを読み出して再生する処理を行う。なお、オーディオデータや映像データは、ディスク読取装置（図示せず）を用いてＣＤやＤＶＤから読み取ったものを用いるようにしてもよい。また、再生対象となるデータをオーディオデータのみあるいは映像データのみに限定してもよい。
【００１５】
操作部２０は、利用者による各種操作を受け付けるためのものであり、各種のスイッチや操作つまみ等が備わっている。タッチパネル２２は、表示装置３２の画面に重ねて配置されており、利用者の指が接触した画面上の位置を検出する。このタッチパネル２２としては、例えば静電容量式のタッチパネルが用いられるが、その他の方式（抵抗膜方式等）のタッチパネルを用いるようにしてもよい。入力制御部２４は、操作部２０およびタッチパネル２２の操作状態を監視し、利用者による入力内容を検出する。
【００１６】
表示処理部３０は、各種の操作画面等を表示する映像信号を出力して表示装置３２にこれらの画面を表示するとともに、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００１７】
デジタル−アナログ変換器４０は、ナビゲーション処理部１０、ＴＶチューナ処理部１４、ラジオチューナ処理部１６、ＡＶ処理部１８のそれぞれの処理によって生成される音声や音楽等のオーディオデータをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００１８】
制御部５０は、車載装置１の全体を制御するためのものであり、ＲＯＭやＲＡＭなどに格納された所定のプログラムをＣＰＵで実行することにより実現される。また、制御部５０は、ラジオチューナ処理部１６に対応する操作画面を表示したり、こ操作画面を用いて手動で放送局の受信周波数を設定するために、ラジオ操作処理部５１、受信周波数検出部５２、受信周波数設定部５３、押下位置判定部５４、通知音出力部５５を有する。
【００１９】
ラジオ操作処理部５１は、表示装置３２に表示するラジオ受信処理（例えば、受信周波数の設定）に関する操作画面を作成するとともに、この操作画面を用いて行われる利用者の指示に応じた信号をラジオチューナ処理部１６に入力する。
【００２０】
受信周波数検出部５２は、ＡＭ放送局やＦＭ放送局のそれぞれに対応する受信周波数を検出する。この検出は、車両のアクセサリースイッチ（図示せず）がオンされて車載装置１が起動されたときや、ラジオチューナ処理部１６以外のナビゲーション処理部１０、ＴＶチューナ処理部１４、ＡＶ処理部１８のいずれかによる動作中に、望ましくは所定の時間間隔で複数回行われる。
【００２１】
受信周波数設定部５３は、ラジオチューナ処理部１６を用いて番組受信を行うＡＭ／ＦＭ放送局の受信周波数を設定する。押下位置判定部５４は、タッチパネル２２の検出結果に基づいて、表示装置３２に表示された操作画面上の利用者による押下位置（指等の接触位置）を判定する。通知音出力部５５は、設定しようとしている周波数が、受信周波数検出部５２によって検出された各放送局の受信周波数のいずれかに一致したか否かを判定し、一致したときに所定の通知音を出力する。
【００２２】
上述したラジオチューナ処理部１６が受信手段に、受信周波数検出部５２が受信周波数検出手段に、受信周波数設定部５３が受信周波数設定手段に、ラジオ操作処理部５１が操作画面作成手段に、表示処理部３０、表示装置３２が表示手段に、通知音出力部５５が通知音出力手段にそれぞれ対応する。
【００２３】
本実施形態の車載装置１はこのような構成を有しており、次に、ラジオチューナ処理部１６におけるＡＭ／ＦＭ放送の放送局の受信周波数を設定する動作について説明する。
【００２４】
図２は、ＦＭ放送の放送局の受信周波数の設定を行う操作画面を示す図である。なお、ＡＭ放送の放送局の受信周波数設定用の操作画面についても基本的に同じであり、以下では、ＦＭ放送に対応する操作画面について説明する。
【００２５】
図２に示すように、受信周波数設定用の操作画面には、受信周波数帯域に対応する長さを有して周波数目盛が付された周波数バー１００と、この周波数バー１００内の特定の周波数を指し示す第１の指標１０２と、周波数バー１００の任意の位置が利用者によって指し示されたことをタッチパネル２２で検出したときにこの指し示された位置を含む一部の周波数範囲を拡大した拡大周波数バー１１０と、拡大周波数バー１１０内において第１の指標１０２と同じ周波数を指し示す第２の指標１１２とが含まれる。
【００２６】
拡大周波数バー１１０は、第１の指標１０２によって指し示された周波数が、受信周波数検出部５２によって検出されたＦＭ放送の複数の放送局のそれぞれに対応する複数の受信周波数のいずれかを中心とした所定の範囲内（例えば、±２ＭＨｚの範囲内）に含まれるときに表示され、それ以外の場合には表示されない。
【００２７】
上述した受信周波数設定部５３は、操作画面内において第１および第２の指標１０２、１１２によって指し示された周波数を受信周波数として設定する。図２に示す例では、第１および第２の指標１０２、１１２によって７９．０ＫＨｚが指し示されており、この周波数が受信周波数として設定される。
【００２８】
図３は、ＡＭ／ＦＭ放送の放送局の受信周波数を設定する動作手順を示す流れ図である。車載装置１の起動後、あるいは、ラジオチューナ処理部１６以外のナビゲーション処理部１０、ＴＶチューナ処理部１４、ＡＶ処理部１８のいずれかによる動作中に、受信周波数検出部５２は、ＡＭ放送局とＦＭ放送局のそれぞれに対応する受信周波数を検出する（ステップ１００）。これにより、ＡＭ放送およびＦＭ放送のそれぞれについて、受信帯域に含まれる全ての受信可能な放送局の検出が行われる。
【００２９】
次に、ラジオ操作処理部５１は、車載装置１の動作モードがラジオ受信に切り替えられたか否かを判定する（ステップ１０２）。例えば、表示装置３２の画面上に動作モード切替用のメニュー画面が表示された状態で、このメニュー画面に含まれる「ＡＭラジオ」アイコンあるいは「ＦＭラジオ」アイコンが利用者によって指し示されたときに、動作モードがラジオ受信に切り替えられるものとする。利用者がこのような操作を行わない場合にはステップ１０２の判定において否定判断が行われ、この判定が繰り返される。
【００３０】
また、利用者がメニュー画面内の「ＡＭラジオ」アイコンあるいは「ＦＭラジオ」アイコンを指し示すとステップ１０２の判定において肯定判断が行われる。次に、ラジオ操作処理部５１は、ＡＭラジオ用あるいはＦＭラジオ用の受信周波数設定用の操作画面を作成し、表示装置３２に表示する（ステップ１０４）。その後、ラジオ操作処理部５１は、操作画面内の周波数バー１００上の第１の指標１０２が利用者によって指し示されたか否かを判定する（ステップ１０６）。指し示されていない場合には否定判断が行われ、この判定が繰り返される。また、第１の指標１０２が利用者によって指し示された場合にはステップ１０６の判定において肯定判断が行われる。
【００３１】
次に、ラジオ操作処理部５１は、利用者によって指し示された第１の指標１０２に対応する周波数の近傍の所定範囲に、受信可能な放送局（受信周波数検出部５２によって検出された受信周波数のいずれか）が存在するか否かを判定する（ステップ１０８）。存在しない場合には否定判断が行われ、拡大周波数バー１１０が非表示状態に設定される（ステップ１１０）。一方、受信可能な放送局が存在する場合にはステップ１０８の判定において肯定判断が行われ、ラジオ操作処理部５１は、第１の指標１０２とその近傍が隠れないように拡大周波数バー１１０を表示する（ステップ１１２）。
【００３２】
次に、ラジオ操作処理部５１は、周波数バー１００に沿って利用者が指し示した位置が移動しているか否かを判定する（ステップ１１４）。移動していない場合には否定判断が行われ、この判定が繰り返される。
【００３３】
また、周波数バー１００に沿って利用者が指し示した位置が移動している場合にはステップ１１４の判定において肯定判断が行われる。次に、ラジオ操作処理部５１は、第１の指標１０２（拡大周波数バー１１０が表示されている場合には第１および第２の指標１０２、１１２の両方）を利用者の指し示す位置の移動方向に移動させてその位置を変更する（ステップ１１６）。受信周波数設定部５３は、第１の指標１０２や第２の指標１１２の位置に対応する周波数を受信周波数として設定する（ステップ１１８）。このようにして第１の指標１０２や第２の指標１１２の位置が移動している間、受信周波数もこの移動操作に対応して所定方向に向けて変更される。
【００３４】
このように、本実施形態の車載装置１では、周波数バー１００の一部であって利用者が指し示した位置が、いずれかの放送局の受信周波数の近傍にあるときに拡大周波数バー１１０が表示されるため、利用者はこの拡大周波数バー１１０を見ながら周波数を指示することができる。このため、周波数バー１００上の操作位置を移動させるだけで受信周波数を合わせることができ、操作の簡略化による操作性向上が可能となる。また、拡大周波数バー１１０の第２の指標１１２を移動させて実際の番組の受信結果を確認しながら受信周波数を設定することができるため、受信周波数を覚えていない放送局であっても容易に周波数を合わせることが可能となる。
【００３５】
ところで、利用者が第１の指標１０２を指し示した後にこの指し示した位置を周波数バー１００に沿って移動させたときに、拡大周波数バー１１０が表示されていない場合は、この指し示した位置に対応して第１の指標１０２の位置が移動する。これに対し、拡大周波数バー１１０が表示されている場合には、利用者が指し示した位置の移動量よりも第１の指標１０２の位置の移動量を小さくしている。具体的には、拡大周波数バー１１０が表示されている場合には、利用者が指し示した位置の移動量と、拡大周波数バー１１０に沿って第２の指標１１２を移動させる移動量とが同じに設定されることが望ましい。これにより、周波数バー１００に沿った利用者の操作速度が速い場合であっても周波数の微調整が可能になり、操作性を向上させることができる。
【００３６】
なお、本発明は上記実施形態に限定されるものではなく、本発明の要旨の範囲内において種々の変形実施が可能である。例えば、上述した実施形態では、操作画面内の周波数バー１００や拡大周波数バー１１０には第１の指標１０２や第２の指標１１２のみを含ませるようにしたが、これらに加えて、受信周波数検出部５２によって検出された受信周波数を示す第３の指標を追加するようにしてもよい。
【００３７】
図４は、拡大周波数バー１１０に受信可能な放送局の周波数を示す第３の指標を追加した例を示す図である。図４において、ａ、ｂ、ｃ、ｄは第３の指標を示している。これらの第３の指標ａ、ｂ、ｃ、ｄを追加することにより、利用者は、周波数設定の状況を視覚的に確認することが可能となる。なお、これらの第３の指標は、拡大周波数バー１１０に追加する場合の他に、周波数バー１００に追加する場合や、拡大周波数バー１１０と周波数バー１００の両方に追加する場合が考えられる。
【００３８】
また、上述した実施形態では、設定中の周波数が受信可能な放送局の周波数と一致したか否かはその放送局の番組の出力音声を確認することで判断することができるが、一致したときに所定の通知音を出力するようにしてもよい。
【００３９】
図５は、設定中の周波数が受信可能な放送局の周波数と一致したときに通知音を出力する変形例の動作手順を示す流れ図である。図５に示す動作手順は、図３に示す動作手順と比べて、ステップ１１４とステップ１１６の間にステップ２００、２０２を追加したものである。以下では、これらの追加されたステップに着目して説明を行うものとする。
【００４０】
周波数バー１００に沿って利用者が指し示した位置が移動している場合であってステップ１１４の判定において肯定判断が行われると、次に、通知音出力部５５は、利用者によって指し示された周波数が、受信周波数検出部５２によって検出された各放送局の受信周波数のいずれかに一致したか否かを判定する（ステップ２００）。一致した場合にはステップ２００の判定において肯定判断が行われる。次に、通知音出力部５５は、チューニングが合ったことを示す所定の通知音をスピーカ４２から出力する（ステップ２０２）。その後、あるいは、利用者によって指し示された周波数が各放送局の受信周波数に一致せずにステップ２００の判定において否定判断が行われた後、ステップ１１６に移行して第１の指標１０２等の位置が変更される。このように所定の通知音を出力することにより、利用者は、周波数設定の状況を聴覚的に確認することが可能となる。
【００４１】
また、上述した実施形態では、設定中の周波数が受信可能な放送局の周波数と一致したときに利用者自身が周波数の変更をやめる必要があるが、操作速度（指し示す位置の移動速度）が速い場合には、利用者が指し示した位置が放送局の受信周波数を通過してしまう場合もある。このような点を考慮して、利用者が指し示した位置を周波数バー１００に沿って移動させ、拡大周波数バー１１０内の第２の指標１１２で指し示された周波数が、受信周波数検出部５２によって検出されたいずれかの受信周波数に一致したときに、第１および第２の指標１０２、１１２の移動を一時的に停止させるようにしてもよい。
【００４２】
図６は、設定周波数が放送局の受信周波数に一致したときに第１および第２の指標１０２、１１２の移動を一時的に停止させる変形例の動作手順を示す流れ図である。図６に示す動作手順は、図５に示す動作手順と比べて、ステップ２０２をステップ２０２Ａに置き換えた点が異なっている。以下では、この置き換えたステップに着目して説明を行うものとする。
【００４３】
利用者によって指し示された周波数が各放送局の受信周波数に一致してステップ２００の判定において肯定判断が行われた後、ラジオ操作処理部５１は、第１および第２の指標１０２、１１２の移動を一時的に停止（一定時間固定）する（ステップ２０２Ａ）。その後、一定時間経過後にステップ１１６に移行して第１および第２の指標１０２、１１２の位置が変更される。これにより、周波数バー１００に沿った利用者の操作速度を速くした場合であっても確実に受信周波数に合わせることが可能になり、操作性をさらに向上させることができる。
【産業上の利用可能性】
【００４４】
上述したように、本発明によれば、周波数バーの一部であって利用者が指し示した位置が、いずれかの放送局の受信周波数の近傍にあるときに拡大周波数バーが表示されるため、利用者はこの拡大周波数バーを見ながら周波数を指示することができる。このため、周波数バー上の操作位置を移動させるだけで受信周波数を合わせることができ、操作の簡略化による操作性向上が可能となる。また、拡大周波数バーの指標を移動させて実際の番組の受信結果を確認しながら受信周波数を設定することができるため、受信周波数を覚えていない放送局であっても容易に周波数を合わせることが可能となる。
【符号の説明】
【００４５】
１  車載装置
１６  ラジオチューナ処理部
１８  ＡＶ処理部
２０  操作部
２２  タッチパネル
２４  入力制御部
３０  表示処理部
３２  表示装置
５０  制御部
５１  ラジオ操作処理部
５２  受信周波数検出部
５３  受信周波数設定部
５４  押下位置判定部
５５  通知音出力部
【図１】
2016213562.tif 000003
【図２】
2016213562.tif 000004
【図３】
2016213562.tif 000005
【図４】
2016213562.tif 000006
【図５】
2016213562.tif 000007
【図６】
2016213562.tif 000008